(57)【特許請求の範囲】
【請求項１】
別体の付属品を非使用時に収納可能な収納手段を備える一方、ハウジングに、前記ハウジングに設けた開口部を任意に開閉可能で、常態では前記開口部の閉塞位置で前記ハウジングに固定される可動部材を設けた釘打機であって、
前記収納手段を、前記ハウジング又は前記可動部材の一方側に設けられ、前記付属品を保持可能な保持部と、他方側に設けられ、前記可動部材の前記閉塞位置で前記付属品の前記保持部からの脱却を防止可能な規制部としたことを特徴とする釘打機。
【請求項２】
前記ハウジングが、連結釘を収納可能で、連結釘を出し入れするための開口部を有するマガジン本体であり、前記可動部材が、前記開口部を任意に開閉可能なマガジンキャップであって、
前記保持部を、前記マガジン本体の外面に設けられる収納室とする一方、前記規制部を、前記マガジンキャップが前記マガジン本体を閉塞する位置で前記収納室の開口を閉塞可能な蓋体としたことを特徴とする請求項１に記載の釘打機。
【発明の詳細な説明】
【０００１】
【発明の属する技術分野】
本発明は、別体の付属品を非使用時に収納可能な収納手段を備えた釘打機に関する。
【０００２】
【従来の技術】
釘打機では、例えば平打ちを行う際、釘打機本体から突設されたドライバガイドの先端にキャップ状のアダプタを嵌着する等、別体の付属品が一時的に使用されることがある。そこで、この付属品を必要なときにすぐ取り出して使用できるように、釘打機には、付属品を非使用時に収納可能な収納手段が設けられている。例えば上記アダプタでは、連結釘を収納するマガジンやグリップ部の端部等に、アダプタを嵌合させる凸部やアダプタの半分を収納する嵌合部等を形成して、アダプタを着脱可能に保持させるものである。
一方、釘打機には、例えば上記マガジンでは連結釘の出し入れに用いる開口部を任意に開閉可能なマガジンキャップ等の可動部材が設けられている。
【０００３】
【発明が解決しようとする課題】
ところが、上記アダプタの収納手段では、アダプタが露出状態で収納されると共に、その保持が単純な嵌合によっているから、釘打機の使用中にアダプタに外力が加わると脱却しやすく、紛失する虞れもある。
【０００４】
そこで、本発明は、マガジンキャップのような可動部材を合理的に利用した収納手段の採用により、付属品の偶発的な脱却や紛失を防止し、付属品の収納に係る信頼性を向上させることができる釘打機を提供することを目的としたものである。
【０００５】
【課題を解決するための手段】
上記目的を達成するために、請求項１に記載の発明は、前記収納手段を、ハウジング又は可動部材の一方側に設けられ、付属品を保持可能な保持部と、他方側に設けられ、可動部材の閉塞位置で付属品の保持部からの脱却を防止可能な規制部としたことを特徴とするものである。
また、請求項２に記載の発明は、請求項１に記載の発明において、前記ハウジングが、連結釘を収納可能で、連結釘を出し入れするための開口部を有するマガジン本体であり、前記可動部材が、前記開口部を任意に開閉可能なマガジンキャップであって、前記保持部を、前記マガジン本体の外面に設けられる収納室とする一方、前記規制部を、前記マガジンキャップが前記マガジン本体を閉塞する位置で前記収納室の開口を閉塞可能な蓋体としたことを特徴とする。
【０００６】
【発明の実施の形態】
以下、本発明の実施の形態を図面に基づいて説明する。
図１は、釘打機１の全体図で、グリップ部３を直交状に連設した本体２の先端には、ドライバガイド４が突設されており、ドライバガイド４とグリップ部３の後端との間には、連結釘を巻回状態で収容する略円筒状のマガジン５と釘送り通路６とが掛け渡し状にして取り付けられている。このマガジン５は、マガジン本体７と釘送り通路６との側面に形成された開口部を開閉する可動部材としてのマガジンキャップ８をヒンジ部９で蝶着しているが、マガジンキャップ８の自由端の外面には、図２にも示すように、マガジン本体７の軸方向と平行に筒状のガイド部１０が突設され、そのガイド部１０に、ロックピン１１が図２の右側への付勢状態で収納されている。又、ロックピン１１の後端には、マガジンキャップ８の外面に形成されたツマミ１２と対になる可動ツマミ１３がボルト１４を介して連結されて、ツマミ１２と可動ツマミ１３とを指で挟むことで、ロックピン１１を付勢に抗して図２の左側へスライド可能となっている。一方、マガジン本体７側には、マガジンキャップ８の閉塞位置でロックピン１１の先端が挿入可能なロックプレート１５が連結されている。
【０００７】
そして、釘打機１においては、平打ちの際にドライバガイド４の先端に嵌着させてドライバガイド４の適正な姿勢維持を図る付属品としてのアダプタ１６（図１の二点鎖線で表す）が使用されるが、このアダプタ１６を使用しない場合に釘打機１に収納できるように、マガジン本体７の外面でマガジンキャップ８の自由端際には、図３にも示す如く、アダプタ１６の保持部としての収納室１７が突設されている。この収納室１７は、アダプタ１６が軽圧入される内形を有して上方のみを開口させた筒状を呈し、単独でアダプタ１６を略完全に収納可能となっている。一方、マガジンキャップ８の端縁には、マガジンキャップ８がマガジン本体７を閉塞する位置で収納室１７の開口を閉塞可能な規制部としての蓋体１８が延設されている。
【０００８】
以上の如く構成された釘打機１においては、アダプタ１６を使用しない場合は、先述のようにツマミ１２と可動ツマミ１３とを挟むようにしてロックピン１１を後退させれば、ロックピン１１とロックプレート１５との係止が解除されるため、そのままマガジンキャップ８を開放させれば、蓋体１８も収納室１７から離反し、収納室１７の開口を開放させる。よって、アダプタ１６を収納室１７に嵌め込み、再びマガジンキャップ８をマガジン本体７の閉塞位置へ回転させれば、ロックピン１１がロックプレート１５に係止してマガジンキャップ８がロックされると同時に、蓋体１８が収納室１７の開口を閉塞し、アダプタ１６の収納は完了する。
一方、アダプタ１６を使用する際は、収納時と同様にマガジンキャップ８を解放させれば、収納室１７が開放されるため、そのままアダプタ１６を収納室１７から取り出すことができる。
【０００９】
このように、上記実施の形態によれば、収納手段を収納室１７と蓋体１８とで構成したことにより、アダプタ１６を収納室１７に確実に収納可能となるから、使用しないアダプタ１６が偶発的に収納室１７から脱却したり紛失したりする虞れがなくなり、収納時の信頼性が向上する。又、収納室１７を閉塞する蓋体１８をマガジンキャップ８に延設しているから、マガジンキャップ８の閉塞と共に収納室１７が自動的に閉塞され、アダプタ１６が脱却防止される合理的な構成となる。
【００１０】
尚、上記形態では、収納室１７をマガジン本体７に、蓋体１８をマガジンキャップ８にそれぞれ設けているが、互いに逆にしても良い。又、収納室１７の側面にスリット１９（図３に表示）や透孔、透明な樹脂板等を設ければ、マガジンキャップ８を開けなくてもアダプタ１６の有無の確認が行え、便利となる。
一方、保持部の具体的構造も、上記形態のようにアダプタ１６を完全に収納する収納室１７に限らず、図４のように、マガジン本体７にアダプタ１６を逆向きにして嵌着可能な突起２０を設け、マガジンキャップ８に延設した蓋体１８ａ等をアダプタ１６の底面に当接させる構成としても、アダプタ１６の脱却や紛失は防止できる。勿論これら収納室１７や突起２０の形状も、付属品の形状に合わせて適宜変更可能である。
そして、上記形態では、マガジン本体７に蝶着されるマガジンキャップ８を利用してアダプタ１６を収納可能としているが、このような可動部材はスライドタイプでも同様に適用できる。又、マガジン本体７に限らず、本体２やグリップ部３等に可動部材が設けられれば、それらのハウジングと可動部材との間に収納手段を適用することもできる。更に、収納する対象も、アダプタ１６に限らず、レンチや油差し等の他の付属品に用いることは勿論可能である。
【００１１】
【発明の効果】
本発明によれば、収納手段を前記保持部と規制部とで構成したことで、付属品が確実に収納可能となるから、使用しない付属品が保持部から偶発的に脱却したり紛失したりする虞れはなくなり、収納時の信頼性が向上する。又、保持部又は規制部を可動部材に設けているため、可動部材の閉塞と共に付属品が自動的に脱却防止される合理的な構成となる。
【図面の簡単な説明】
【図１】釘打機の全体図である。
【図２】マガジンの側面説明図である。
【図３】アダプタの収納状態を示す説明図である。
【図４】保持部の変更例の説明図である。
【符号の説明】
１・・釘打機、２・・本体、５・・マガジン、７・・マガジン本体、８・・マガジンキャップ、１１・・ロックピン、１６・・アダプタ、１７・・収納室、１８・・蓋体、１９・・スリット、２０・・突起。
【図１】
0003651756.tif 000002
【図２】
0003651756.tif 000003
【図３】
0003651756.tif 000004
【図４】
0003651756.tif 000005